(57)【要約】【課題】使用者が電子書籍視聴機能付き携帯情報端末の通信連携機能を利用するシーンにおいて、視聴中の放送番組に関する情報を蓄積する機能を実現すること。【解決手段】コンテンツに接続可能で、電子書籍視聴機能付携帯電話装置部１が、電子書籍利用中に自機の移動速度の変化率が大きいとき、コンテンツを選択し推薦する。【選択図】図２
2008099005.tif 000002
【特許請求の範囲】
【請求項１】
コンテンツに接続可能で、電子書籍視聴機能付きの携帯情報端末において、
電子書籍利用中に自機の移動速度の変化率が大きいとき、コンテンツを選択し推薦することを特徴とする携帯情報端末。
【請求項２】
コンテンツに接続可能で、電子書籍視聴機能付きの携帯情報端末において、
自機が開閉式の機器であり、電子書籍利用中にその開かれる動作があったときにコンテンツを選択し推薦することを特徴とする携帯情報端末。
【請求項３】
コンテンツに接続可能で、電子書籍視聴機能付きの携帯情報端末において、
使用者の視聴中の電子書籍データのテキストや音声などと関係するコンテンツを選択し推薦することを特徴とする携帯情報端末。
【請求項４】
コンテンツに接続可能で、電子書籍視聴機能付きの携帯情報端末が、
電子書籍利用中に自機の移動速度の変化率が大きいとき、コンテンツを選択し推薦することを特徴とするコンテンツ推薦方法。
【請求項５】
コンテンツに接続可能で、電子書籍視聴機能付きの携帯情報端末が、
自機が開閉式の機器であり、電子書籍利用中にその開かれる動作があったときにコンテンツを選択し推薦することを特徴とするコンテンツ推薦方法。
【請求項６】
コンテンツに接続可能で、電子書籍視聴機能付きの携帯情報端末が、
使用者の視聴中の電子書籍データのテキストや音声などと関係するコンテンツを選択し推薦することを特徴とするコンテンツ推薦方法。
【請求項７】
コンピュータに請求項１から３のいずれか１項に記載の機能を実現させることを特徴とするプログラム。
【発明の詳細な説明】
【技術分野】
【０００１】
本発明は、電子書籍視聴機能を搭載した携帯情報端末において、使用者の位置情報を元にコンテンツを推薦するための技術に関する。
【背景技術】
【０００２】
携帯電話装置の高性能／高機能化に伴い、電子書籍視聴・オーディオ再生等の付加機能が提供されている。
【０００３】
一般に、使用者は電子書籍（コンテンツ）をネットワーク経由でのダウンロード／ＳＤカードなどの外部メモリで入手し、パソコン・携帯端末・携帯電話等を視聴手段として閲覧する。
【０００４】
使用者が電子書籍を閲覧できる状況としては、自宅・喫茶店等（静止状態）、公共交通機関（移動中）などが考えられる。
【０００５】
一方、歩行・自転車利用（移動中）などにおいては電子書籍の閲覧は困難であるが、朗読等、オーディオブックでの「読書」継続は可能である。
【０００６】
ここで、電子書籍装置は読み上げ音声生成部において記憶されている書籍データに従って音声を再生し、通信Ｉ／Ｆ部によって外部との通話を可能とし、読み上げ音声生成部によって書籍データに従って音声を再生中に外部から電話のための着信があると、ＣＰＵはその旨を報知させるとともに、再生中の音声を停止させるように制御することで、書籍データを再生中に電話の着信があるときの応答操作を容易とすることにより携帯して使用する時の利便性を向上することができる技術が提案されている（例えば、特許文献１参照）。
【０００７】
また、ＬＣＤ表示部は、電子化された書籍である書籍データを表示し、制御部は、ＬＣＤ表示部が一時に表示し得る最大の文字数分の範囲内において、書籍データを区切りファイルに規定されている条件に基づいて順次区切り、区切った各区切単位の書籍データをＬＣＤ表示部に順次表示させ、区切りファイルには、改行、句点、読点、括弧、コンマ、若しくはピリオドの少なくとも１つ又は助詞の後で区切る旨が規定されることで、携帯性等の観点から表示領域の大きさに制約がある場合であっても、ユーザが快適に小説等を閲読できる技術が提案されている（例えば、特許文献２参照）。
【０００８】
また、書籍を読み上げる有名人等の読み上げキャラクタ画像、この読み上げキャラクタ画像固有の音声データを外部の配信元からそれぞれ配信してもらい、電子書籍装置は、この配信された書籍データおよび読み上げキャラクタ画像を表示部に表示しながら、同じく配信された読み上げキャラクタ画像固有の音声データに対応する音声で、同じく配信された書籍データに従って読み上げ再生することで、希望する有名人等の読み上げキャラクタ画像の音声で、外部の配信元から配信された書籍データを読み上げることができる技術が提案されている（例えば、特許文献３参照）。
【特許文献１】特開２００１−２６５５６６号公報
【特許文献２】特開２００２−１９７０８８号公報
【特許文献３】特開２００３−１２２５５４号公報
【発明の開示】
【発明が解決しようとする課題】
【０００９】
しかしながら、従来の電子書籍視聴機能付携帯電話装置には次のような課題がある。第１の課題は、歩行・自転車利用（移動中）などにおいては電子書籍の閲覧は困難なことである。また、第２の課題は、電子書籍と音声サービス（オーディオブック等）の連携が想定されていないことである。
【００１０】
本発明は、以上説明した問題点を解決するためになされたものである。その目的は、使用者が電子書籍視聴機能付きの携帯情報端末の通信連携機能を利用するシーンにおいて、視聴中の放送番組に関する情報を蓄積する機能を実現することである。
【課題を解決するための手段】
【００１１】
上記課題を解決するために、本発明は、コンテンツに接続可能で、電子書籍視聴機能付きの携帯情報端末において、
電子書籍利用中に自機の移動速度の変化率が大きいとき、コンテンツを選択し推薦する携帯情報端末を提供する。
【００１２】
また、本発明は、コンテンツに接続可能で、電子書籍視聴機能付きの携帯情報端末において、
自機が開閉式の機器であり、電子書籍利用中にその開かれる動作があったときにコンテンツを選択し推薦する携帯情報端末を提供する。
【００１３】
また、本発明は、コンテンツに接続可能で、電子書籍視聴機能付きの携帯情報端末において、
使用者の視聴中の電子書籍データのテキストや音声などと関係するコンテンツを選択し推薦する携帯情報端末を提供する。
【００１４】
また、本発明は、コンテンツに接続可能で、電子書籍視聴機能付きの携帯情報端末が、
電子書籍利用中に自機の移動速度の変化率が大きいとき、コンテンツを選択し推薦するコンテンツ推薦方法を提供する。
【００１５】
また、本発明は、コンテンツに接続可能で、電子書籍視聴機能付きの携帯情報端末が、
自機が開閉式の機器であり、電子書籍利用中にその開かれる動作があったときにコンテンツを選択し推薦するコンテンツ推薦方法を提供する。
【００１６】
また、本発明は、コンテンツに接続可能で、電子書籍視聴機能付きの携帯情報端末が、
使用者の視聴中の電子書籍データのテキストや音声などと関係するコンテンツを選択し推薦するコンテンツ推薦方法を提供する。
【発明の効果】
【００１７】
本発明によれば、使用者が電子書籍視聴機能付きの携帯情報端末の通信連携機能を利用するシーンにおいて、視聴中の放送番組に関する情報を蓄積する機能を実現することができる。
【発明を実施するための最良の形態】
【００１８】
以下、本発明の実施の形態について図面を参照して詳細に説明する。なお、各図において共通する部分には、同一の符号が付されている。
【００１９】
図１において、本実施の形態における携帯電話装置は、携帯電話網との通信手段および電子書籍視聴機能・オーディオ再生機能を持つ携帯電話装置部１から成る。
【００２０】
図２では、図１に示す携帯電話装置の機能ブロックを示す。図１の電子書籍視聴機能付携帯電話装置部１は、図２の入力処理部２１、電子書籍アプリ部２２、データ蓄積部２３、制御部２４、無線処理部２５、音声処理部２６、マイク２６ａ、スピーカー２６ｂ、表示部２７から構成されている。
【００２１】
図２において、入力処理部２１は図１の電子書籍視聴機能付携帯電話装置部１上のキーが押下／開放された場合など、使用者の意思を示す入力に関する処理を行い、制御部２４へ通知する。
【００２２】
電子書籍アプリ部２２は、電子書籍視聴機能を実現するアプリケーションで、電子書籍を視聴する機能を使用者へ提供し、制御部２４を介して他の機能ブロックと接続する。また、電子書籍アプリ部２２は、制御部２４を介して位置情報を無線処理部２５から取得し、位置変化量の算出し、変化量推移において変化が大きい場合は、視聴中のデータに対応するコンテンツの推薦を行う。例えば、テキストデータを視聴中の場合、閲覧中の章・頁などに対応したオーディオブック等の音声データの推薦を行う。なお、電子書籍においては、テキストデータの章・頁等とオーディオブックの章、ファイル名等をリンクできるインデックスを有している。
【００２３】
データ蓄積部２３は電子書籍視聴機能付携帯電話装置部１の内部または外部にあるメモリで、電子書籍コンテンツ（テキストデータ、朗読などの音声データ等）などが蓄積される。
【００２４】
制御部２４は電子書籍視聴機能付携帯電話装置部１の制御を行う。
【００２５】
無線処理部２５は、携帯電話網との通信処理を行う。
【００２６】
音声処理部２６は、オーディオＣＯＤＥＣ(COder DECoder)の処理を行い、マイク２６ａ、スピーカー２６ｂとの入出力を行う。
【００２７】
表示部２７は、ＬＣＤ画面(Liquid Crystal Display)、ＥＬ画面(electroluminescence display)などで構成され、ＵＩ(User Interface)画面表示や電子書籍データの表示等を行う。
【００２８】
なお、本構成において、電子書籍を携帯電話網を介したネットワークに接続されたサーバからのコンテンツダウンロードを行う構成については、いろいろなシステム構成で実装されることが考えられるが、その詳細な構成は省略する。
【００２９】
先に説明した図２をもとに、本実施の形態における処理動作として、電子書籍としてテキストデータを視聴している場合のフローチャートを図３に示す。
【００３０】
図３において、Ｓ３１は電子書籍視聴機能付携帯電話装置部１の状態が、電子書籍アプリ部２２で電子書籍のテキストデータが視聴されている状態であること示す。
【００３１】
Ｓ３２は、制御部２４を介して、電子書籍アプリ部２２が無線処理部２５より位置情報を取得することを示す。
【００３２】
Ｓ３３は、電子書籍アプリ部２２が、Ｓ３２で取得した位置情報を、取得済みの位置情報と比較し、位置に変化があるかどうか、位置の変化量が大きいかどうかを算出することを示す。
【００３３】
Ｓ３４は、電子書籍アプリ部２２が、Ｓ３３で求めた位置変化量において、位置変化量の単位時間毎の推移での大きな変化の有無の判断を行うことを示す。例えば、電車を降りて徒歩で家路へ向かう場合、移動速度が大きく異なるが、その情報を判断材料として利用する。
【００３４】
位置変化量が小さい場合（Ｎｏ）は、Ｓ３１に戻る。一方、位置変化量が大きい場合（Ｙｅｓ）は、Ｓ３５の処理を行う。
【００３５】
Ｓ３５は、電子書籍アプリ部２２が、例えば、閲覧中の小説の章に対応するオーディオブックの情報を抽出するなど、テキストデータの視聴（閲覧）継続が不可能な場合の代替手段を提供できるコンテンツの抽出を行うことを示す。また、電子書籍アプリ部２２は、使用者に推薦コンテンツを視聴するか、現在の視聴を継続するかの確認を行うポップアップ表示を表示部２７に表示する。
【００３６】
Ｓ３６において、使用者がＳ３５で表示された画面にて、推薦コンテンツのうち音声データ選択を行わなかった場合（Ｎｏ）はＳ３１に戻る。Ｓ３６において、使用者がＳ３５で表示された画面にて、推薦コンテンツのうち音声データ選択した場合（Ｙｅｓ）はＳ３７の処理を行う。
【００３７】
Ｓ３７は、例えば、音声データを携帯電話網を介したネットワークに接続されたサーバから取得（ダウンロード）し、音声データの再生を行うことを示す。
【００３８】
Ｓ３８では、Ｓ３７の結果として、電子書籍視聴機能付携帯電話装置部１の状態が、電子書籍アプリ部２２で電子書籍の音声データが視聴されている状態であること示す。
【００３９】
図４では、図３で示した例と同様、音声データに注目したフローチャートを示す。図３と同様の為、詳細の説明は割愛する。
【００４０】
先に説明した図３、図４のフローチャートをもとに、本実施の形態における位置変化量推移の識別方式を図５を用いて説明する。
【００４１】
図５において、会社から自宅へ帰宅する場合の例を表している。
【００４２】
５１ａは、会社から乗車駅まで徒歩で移動することを示す。５２は、乗車駅から下車駅まで電車で移動することを示す。５３ａは、下車駅から駐輪場まで徒歩で移動することを示す。５４は、駐輪場から自宅まで自転車で移動することを示す。
【００４３】
ここで、電車での移動においてテキストデータの電子書籍を視聴可能であるが、徒歩／自転車での移動においてはテキストデータの閲覧は安全確保上困難であるが、音声データであれば視聴継続が可能である。
【００４４】
また、移動中において、信号待ちによる停止／通過駅での停車など、一時的に位置変化がなしとなる場合が考えられるが、徒歩６ｋｍ／ｈ、自転車１５ｋｍ／ｈ、電車１００ｋｍ／ｈのように、移動手段によって平均時速の差が大きいと考えられる為、例えば３分間の移動量の推移で見る等、位置変化量推移の単位時間を大きくすることにより、位置変化量推移が大きい（移動手段が変わった）かどうかを判断することが可能である。
【００４５】
５２ｂでは、位置変化量が６ｋｍ／ｈから１００ｋｍ／ｈに大きく変化したことにより、電子書籍（テキストデータ）を推薦することを示す。
【００４６】
５３ｂでは、位置変化量が１００ｋｍ／ｈから６ｋｍ／ｈに大きく変化したことにより、電子書籍（音声データ）を推薦することを示す。
【００４７】
以上詳細に実施の形態の構成を述べたが、図１の電子書籍視聴機能付携帯電話装置１は、当業者にとってよく知られており、その詳細な構成は省略する。
【００４８】
以上説明したように、本実施の形態によれば、テキストでの電子書籍閲覧継続が困難な歩行中・自転車運転中などの移動中において、テキストでの閲覧の代替手段となる音声データ（オーディオブック等）を推薦することで、視聴継続を使用者へ推薦することができる。
【００４９】
また、テキストと音声データ（オーディオブック等）の連携機能を提供することができる。
【００５０】
なお、本発明の他の実施の形態として、その基本的構成は上記の通りであるが、以下のように実現することが考えられる。
【００５１】
位置情報の取得手段として基地局情報を利用する代わりに、携帯電話装置に接続されたＧＰＳを用いることが考えられる。
【００５２】
また、位置情報の変化を利用する代わりに、折り畳み式携帯電話の開閉動作を契機として使用者への推薦を行うことが考えられる。
【００５３】
また、位置情報の変化を利用した推薦を携帯電話内で行う代わりに、携帯電話網を介して接続されるネットワーク上のサーバ側で携帯電話の位置情報を処理し、使用者への推薦を行うことが考えられる。
【００５４】
なお、上述する実施の形態は、本発明の好適な実施の形態であり、本発明の要旨を逸脱しない範囲内において種々変更実施が可能である。例えば、携帯電話装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５５】
上述する実施の形態は、携帯電話装置が１つのコンピュータシステムとして実現されている構成について説明したが、機能毎に複数の装置などが追加された構成にも適用可能であることはもちろんである。
【図面の簡単な説明】
【００５６】
【図１】本発明の実施の形態における携帯電話装置の外観を示す図である。
【図２】本発明の実施の形態における携帯電話装置の構成を示す図である。
【図３】本発明の実施の形態における処理動作を示すフローチャートである。
【図４】本発明の実施の形態における処理動作を示すフローチャートである。
【図５】本発明の実施の形態における位置変化量推移の識別方式を示す図である。
【符号の説明】
【００５７】
２１    入力処理部
２２    電子書籍アプリ部
２３    データ蓄積部
２４    制御部
２５    無線処理部
２６ａ    マイク
２６ｂ    スピーカー
２７    表示部
【図１】
2008099005.tif 000003
【図２】
2008099005.tif 000004
【図３】
2008099005.tif 000005
【図４】
2008099005.tif 000006
【図５】
2008099005.tif 000007